(57)【要約】【課題】絞り調整を定量的に行うことで作業効率を向上させ、絞り精度にバラツキを発生させない。【解決手段】絞り調整装置１は、モータ本体４２の径方向に突起した突起部と、モータ本体４２の周方向に延在してモータ本体４２に固定された歯列部と、の一方を含む第１の歯列部５０を備える。また、絞り調整装置１は、地板１０に第１の歯列部５０と対向して固定された、突起部と歯列部との他方を含み、突起部と歯列部の歯が係合することにより第１の歯列部５０を固定してモータの地板１０に対する位置を固定し、突起部と歯列部の歯の係合が解除されることにより第１の歯列部５０及びモータの回動を可能とする第２の歯列部６０を備える。【選択図】図４
2017116785.tif 000002
【特許請求の範囲】
【請求項１】
露光用の開口部が形成された地板と、
前記開口部の開口面積を変更する絞り羽根と、
前記地板に対して垂直に配置された回転軸を中心に回動可能に配置されたモータ本体を備えるモータと、
前記モータの前記回転軸の回転により駆動され、前記絞り羽根を、前記開口面積を最大にする最大位置と前記開口面積を最小にする最小位置との間で移動させる絞り羽根移動機構と、
前記モータ本体の径方向に突起した突起部と、前記モータ本体の周方向に延在して前記モータ本体に固定された歯列部と、の一方を含む第１の係合部と、
前記地板に前記第１の係合部と対向して固定された、前記突起部と前記歯列部との他方を含み、前記突起部と前記歯列部の歯が係合することにより前記第１の係合部を固定して前記モータの前記地板に対する位置を固定し、前記突起部と前記歯列部の歯の係合が解除されることにより前記第１の係合部及び前記モータの回動を可能とする第２の係合部と、
を備える絞り調整装置。
【請求項２】
前記第１の係合部は、前記歯列部を含み、
前記第２の係合部は、前記突起部を含み、当該突起部は、前記歯列部の歯列と同一の方向に並んだ複数の突起から構成された
請求項１に記載の絞り調整装置。
【請求項３】
前記第１の係合部は、前記モータ本体の外周から径方向に突出して設けられたフランジの先端に形成された
請求項１又は２に記載の絞り調整装置。
【請求項４】
前記回転軸には、第１のギアが同軸に固定され、
前記絞り羽根移動機構は、前記第１のギアに噛み合う第２のギアを備え、
前記歯列部の歯の高さは、前記第１のギアの歯と前記第２のギアの歯との一方の歯の高さより低い
請求項１〜３のいずれか１項に記載の絞り調整装置。
【請求項５】
前記モータは、前記地板に取り付けられた
請求項１〜４のいずれか１項に記載の絞り調整装置。
【請求項６】
請求項１〜５のいずれか１項に記載の絞り調整装置を含む、光学機器。
【請求項７】
請求項１〜５のいずれか１項に記載の絞り調整装置を含む、電子機器。
【発明の詳細な説明】
【技術分野】
【０００１】
本発明は、主に、絞り調整装置、光学機器及び電子機器に関する。
【背景技術】
【０００２】
絞り装置において、絞り羽根を駆動するモータを地板へ取り付ける位置や、当該モータ内での磁石のずれにより、絞りに誤差が生じることがある。この誤差を修正するために、モータ本体を地板に対して回動させて誤差を修正する絞り調整装置が知られている。例えば、特許文献１に開示された絞り調整装置では、モータ本体に取り付けたフランジを所定の角度回転させることでモータ本体を所定の角度回動させている。モータ本体を回動させることで、モータの回転軸を回転（所定の角度分の回転）させ、モータの回転軸により駆動される絞り羽根の位置を変更して絞りの誤差を修正していた。
【先行技術文献】
【特許文献】
【０００３】
【特許文献１】特開２００４−１９１７７２号公報
【発明の概要】
【発明が解決しようとする課題】
【０００４】
特許文献１に記載された絞り調整装置では、モータ本体を回動する量は、絞り装置を組み立てる組立作業者の目視により、経験に基づき決定されていた。このような回動方法は、複数の製品を組立てるにあたり回動量の客観的基準を設けることができず、作業効率が悪かった。
【０００５】
また、回動量が定量化されておらず、組立作業者により絞り調整にバラツキが生じるおそれがある。したがって、光学機器（例えばカメラ）や電子機器（例えば携帯電話（例えば、カメラを備える携帯電話など））に、絞りの精度にバラツキ（ばらつき）がある絞り装置が搭載される可能性がある。例えば、絞りの精度にバラツキがある絞り装置を搭載したカメラを用いて静止画を撮影する場合、露光制御が十分でない可能性があり、撮影した静止画が所望の解像度等を有することができないおそれがある。
【０００６】
本発明は、上述の事情に鑑みてなされたもので、絞り調整を定量的に行うことで作業効率を向上させ、絞り精度にバラツキが発生しない絞り調整装置、光学機器及び電子機器を提供することを目的とする。
【課題を解決するための手段】
【０００７】
上記目的を達成するため、本発明の第１の観点に係る絞り調整装置は、
露光用の開口部が形成された地板と、
前記開口部の開口面積を変更する絞り羽根と、
前記地板に対して垂直に配置された回転軸を中心に回動可能に配置されたモータ本体を備えるモータと、
前記モータの前記回転軸の回転により駆動され、前記絞り羽根を、前記開口面積を最大にする最大位置と前記開口面積を最小にする最小位置との間で移動させる絞り羽根移動機構と、
前記モータ本体の径方向に突起した突起部と、前記モータ本体の周方向に延在して前記モータ本体に固定された歯列部と、の一方を含む第１の係合部と、
前記地板に前記第１の係合部と対向して固定された、前記突起部と前記歯列部との他方を含み、前記突起部と前記歯列部の歯が係合することにより前記第１の係合部を固定して前記モータの前記地板に対する位置を固定し、前記突起部と前記歯列部の歯の係合が解除されることにより前記第１の係合部及び前記モータの回動を可能とする第２の係合部と、
を備える。
【０００８】
前記第１の係合部は、前記歯列部を含み、
前記第２の係合部は、前記突起部を含み、当該突起部は、前記歯列部の歯列と同一の方向に並んだ複数の突起から構成されてもよい。
【０００９】
前記第１の係合部は、前記モータ本体の外周から径方向に突出して設けられたフランジの先端に形成されてもよい。
【００１０】
前記回転軸には、第１のギアが同軸に設けられ、
前記絞り羽根移動機構は、前記第１のギアに噛み合う第２のギアを備え、
前記歯列部の歯の高さは、前記第１のギアの歯と前記第２のギアの歯との一方の歯の高さより低くてもよい。
【００１１】
前記モータは、前記地板に取り付けられてもよい。
【００１２】
本発明の第２の観点に係る光学機器は、前記絞り調整装置を含む。
【００１３】
本発明の第３の観点に係る電子機器は、前記絞り調整装置を含む。
【発明の効果】
【００１４】
本発明によれば、絞り調整を定量的に行うことで作業効率を向上させ、絞り精度にバラツキが発生しない絞り調整装置、光学機器及び電子機器を提供することができる。
【図面の簡単な説明】
【００１５】
【図１】本発明の実施の形態に係る絞り調整装置を、地板の表面からみた全体斜視図である。
【図２】絞り調整装置の絞り羽根が閉鎖された状態の地板の表面の平面図である。
【図３】絞り調整装置から絞り羽根を取り外した状態の地板の表面の平面図である。
【図４】本発明の実施の形態に係る絞り調整装置を、地板の裏面からみた平面図である。
【図５】図４の絞り調整装置のフランジを、ボルトで締結した状態を示す平面図である。
【図６】モータにフランジを取り付けた状態を示す平面図である。
【図７】地板の裏面からモータを取り外した状態を示す要部拡大平面図である。
【図８】絞りを広げるように調整したときの地板の裏面の平面図である。
【図９】絞りを狭めるように調整したときの地板の裏面の平面図である。
【図１０】変形例を示す図である。
【図１１】光学機器の要部構成を示す図である。
【発明を実施するための形態】
【００１６】
以下、本発明の一実施の形態に係る絞り調整装置について、図面を参照しながら説明する。全図を通じて以下に示す図において、同一の要素には同一の符号を付す。
【００１７】
本発明の実施の形態に係る絞り調整装置１は、光学機器等の絞りを調整する装置である。図１〜４に示すように、絞り調整装置１は、地板１０と、絞り羽根２０と、絞り羽根２０を移動させる絞り羽根移動機構３０と、絞り羽根移動機構３０を駆動させるモータ４０と、モータ４０に取り付けられた第１の歯列部５０と、地板１０に設けられ、第１の歯列部５０と噛合する第２の歯列部６０と、から構成される。
【００１８】
地板１０は、絞り調整装置１の構成部品を搭載する円板状部材であり、中央に露光用の開口部１１が形成されている。地板１０の一方の面１０ａ（以下、「表面」という。）には、絞り羽根２０、絞り羽根調整機構３０が搭載され、他方の面１０ｂ（以下、「裏面」という。）には、モータ４０、第１の歯列部５０、第２の歯部６０が搭載又は形成されている。図１〜３は、地板１０の表面１０ａから絞り調整装置１をみた図、図４は、地板１０の裏面１０ｂから絞り調整装置１をみた図である。
【００１９】
地板１０の表面１０ａの外周部には、周方向に沿って、表面１０ａから突出する９本の突起１２が間隔をあけて立設されている。
【００２０】
絞り羽根２０は、地板１０の表面１０ａに配設された絞りリング２１の上に配置される。絞りリング２１は樹脂などから形成され、円環形状を有する。また、絞りリング２１は、地板１０の周方向に立設された突起１２より内側に配置され、開口部１１の周囲に回転可能に配置されている。また、絞りリング２１の板面には、周方向に沿って９本のピン２２が立設されている。
【００２１】
絞り羽根２０は、樹脂などから片羽状に形成されており、開口部１１を囲むように、地板１０の表面１０ａに等角度に９枚配設されている。また、各々の絞り羽根２０には、第１の孔２３と、長孔形状の案内孔２４が形成されている。第１の孔２３には、突起１２が挿入され、案内孔２４には、ピン２２が挿入される。尚、絞り羽根２０が、突起１２またはピン２２から離脱しないように、複数の突起１２の一部は、その先端が周方向に突出する突起状に形成され、複数のピン２２の一部は、その先端がＴ字状に形成されている。絞り羽根２０は、第１の孔２３に挿入された突起１２を回転中心として回転可能である。また、ピン２２は案内孔２４内で移動可能であり、絞り羽根２０の動きを規制する。
【００２２】
絞り羽根移動機構３０は、出力ギア３１と、大径ギア３２と、小径ギア３３と、ギア部３４と、から構成される。
【００２３】
出力ギア３１は、地板１０の裏面１０ｂに取り付けられたモータ４０の回転軸４１の、地板１０から表面１０ａから突出した先端に、回転軸４１と同軸に固定される。大径ギア３２は、出力ギア３１と噛合し、地板１０に垂直に配置された回転軸３２ａを中心に回転する。小径ギア３３は、大径ギア３２の回転軸３２ａに同軸に固定される。ギア部３４は、絞りリング２１の外周の一部に形成され、小径ギア３３と噛合する。
【００２４】
モータ４０は、円筒状のステッピングモータであり、内部に電磁石を収容するハウジングであるモータ本体４２と、モータ本体４２を貫通する回転軸４１とから構成される。電磁石に流れる電流の向き及び量に応じて、回転軸４１は所定の方向に回転（所定の角度分の回転）される。
【００２５】
モータ本体４２は、図１、４〜６に示すように、円筒形状に形成されており、円筒の外周部には、フランジ部４３と、端子４４が設けられている。なお、図５は、図４のフランジ部３０をボルト４６により、地板１０に取り付けた状態を示す図である。
【００２６】
フランジ部４３は、モータ本体４２の外周部から半径方向に突出して形成された板状部材である。フランジ部４３は、半径方向に直線状に延出するアーム部４３ａと、アーム部４３ａに隣接してモータ本体４２から突出する突出部４３ｂと、を備える。アーム部４３ａのモータ本体４２と反対側の端部には、長孔４５が形成されている。長孔４５に、図５に示すボルト４６を挿入し、後述する地板１０に設けたネジ孔６３に螺合させることで、フランジ部４３は地板１０に固定される。
【００２７】
第１の歯列部５０（第１の係合部）は、図４〜６に示すように、フランジ部４３の先端に形成されている。第１の歯列部５０は、フランジ部４３の先端に沿って複数の歯を形成することで構成される。本実施の形態では、４つの歯が形成されている。第１の歯列部５０は、後述する地板１０に設けられた第２の歯列部６０と噛み合うことにより、モータ本体４２を回転軸４１を中心に回動させる。
【００２８】
フランジ部４３の先端に形成される第１の歯列部５０の歯数は、４つに限られず、回動させるモータ本体４２の大きさや、調整したい絞りの範囲に応じた数の歯数を設ける。また、第１の歯列部５０は、フランジ部４３に形成されるのではなく、モータ４０の外周部に直接形成されてもよい。
【００２９】
端子４４は、モータ本体４２の外周から半径方向に突出して、２つ設けられている。端子４４は、地板１０の裏面１０ｂに設けられた配線基板１３と接続される。配線基板１３は、フレキシブルプリント基板等で形成される。配線基板１３は、電源（図示せず）に接続されており、電源から供給される電流を端子４４介してモータ４０に供給する。
【００３０】
図７は、モータ４０を地板１０の裏面１０ｂから取り外した状態を示す要部拡大図である。地板１０の裏面１０ｂには、モータ４０を載置するモータ載置部６１と、フランジ部４３を載置するフランジ載置部６２と、が形成されている。モータ載置部６１と、フランジ載置部６２とは、モータ４０がモータ載置部６１に載置されたときに、フランジ部４３がフランジ載置部６２に載置される位置に配置される。
【００３１】
モータ載置部６１は、円筒状のモータ４０の一端部を収納する円形凹部６１ａから構成される。円形凹部６１ａの底部には、モータ４０の回転軸４１を挿入する第２の孔６４が形成されている。
【００３２】
モータ載置部６１の円形凹部６１ａに、モータ４０の一端部が挿入され、第２の孔６４に、モータ４０の回転軸４１が挿入されることにより、モータ４０は地板１０に対して回転軸４１を垂直な状態で取り付けられる。
【００３３】
モータ４０の一端部が、モータ載置部６１の円形凹部６１ａに収容されるので、絞り調整装置１をコンパクトにできる。
【００３４】
フランジ載置部６２には、ネジ孔６３と、第２の歯列部６０が形成されている。ネジ孔６３は、フランジ部４２の長孔４５に挿入されるボルト４６と螺合するネジ溝が形成された孔である。ボルト４６を、長孔４５を介してネジ孔６３に螺合させることにより、フランジ部４３を所定の位置で固定する。
【００３５】
第２の歯列部６０（第２の係合部）は、載置されたフランジ部４３の先端に設けられた第１の歯列部５０と対向する位置に、形成されている。第２の歯列部６０は、第１の歯列部５０の歯列と同一方向に並ぶ歯を５つ備え、第１の歯列部５０と噛み合う。
【００３６】
第１の歯列部５０と第２の歯列部６０との噛み合いを解除して、第１の歯列部５０を移動させることにより、第１の歯列部５０が固定されたモータ本体４２を、回転軸４１を中心に回動させる。
【００３７】
第１の歯列部５０と第２の歯列部６０の歯の噛み合う歯の高さは、出力ギア３１と大径ギア３２との噛み合う高さより低く構成されている。したがって、第１の歯列部５０と第２の歯列部６０の噛み合いを解除して移動させるときに、出力ギア３１と大径ギア３２との噛み合いは解除されることがない。
【００３８】
第１の歯列部５０、第２の歯列部６０、出力ギア３１、大径ギア３２の各々の歯の高さは、第１の歯列部５０と第２の歯列部６０の噛み合いを解除しするときに、出力ギア３１と大径ギア３２との噛み合いは解除されなれば、如何なる組み合わせを適用してもよい。例えば、第１の歯列部５０と第２の歯列部６０の一方の歯の高さが、出力ギア３１と大径ギア３２の一方の歯の高さより低ければ、出力ギア３１と大径ギア３２との噛み合いは解除されない。
【００３９】
次に、このような構成を備える絞り羽根移動機構３０の動作を、図１〜３を参照して説明する。
【００４０】
操作者が絞りを絞る操作を操作部（図示せず）により行うと、電源から配線基板１３を介してモータ４０に電流が供給され、図１に示す状態から、地板１０の表面１０ａからみて回転軸４１が時計回りに回転し、出力ギア３１が回転する。出力ギア３１が回転すると、出力ギア３１が噛み合う大径ギア３２が回転し、大径ギア３２と同軸に固定された小径ギア３３も回転する。小径ギア３３が回転すると、小径ギア３３が噛み合うギア部３４が回転して、絞りリング２１が時計回りに回転する。
【００４１】
絞りリング２１が時計回りに回転すると、絞りリング２１の回転に伴うピン２２の動きにより、ピン２２が絞り羽根２０の案合孔２４の内面を押圧しながら移動する。すると、絞り羽根２０は、突起１２を中心に回転し、図２に示すように、開口部１１の開口面積を小さくするように移動し、絞り開口を絞る。そして、開口部１１において所定の絞り開口が得られると、モータ４０への電流の供給が停止する。
【００４２】
操作者が絞りを開く操作を操作部により行うと、絞りを絞るときとは逆向きの電流がモータ４０に供給され、図２に示す状態から、絞りリング２１は、地板１０の表面１０ａからみて、絞りを絞るときとは逆方向である反時計回りに回転する。そして、絞りリング２１の回転に伴うピン２２の動きにより、ピン２２が絞り羽根２０の案合孔２４の内面を押圧しながら移動する。すると、絞り羽根２０は、突起１２を中心に回転し、図１に示すように、開口部１１の開口面積を大きくするように移動して、絞り開口を開く。
【００４３】
開口部１１の開口面積は、最大の開口と最小の開口との間で変更される。開口部１１の開口面積の最大値と最小値は、絞りリング２１に形成されたギア部３４の歯列の長さにより決定される。ギア部３４は、絞りリング２１の外周部に形成された所定の長さを有する歯列であり、時計回り方向の端部３４ａと、反時計回り方向の端部３４ｂとの間で、小径ギア３３と噛合する。
【００４４】
したがって、ギア部３４が小径ギア３３により、地板１０の表面１０ａからみて、時計回りに回転され、小径ギア３３がギア部３４の端部３４ｂの近傍に位置すると、絞り羽根２２は絞られて開口部１１の開口面積は最小になる。また、ギア部３４が小径ギア３３により、地板１０の表面１０ａからみて、反時計回りに回転され、小径ギア３３がギア部３４の端部３４ａの近傍に位置すると、絞り羽根２２は開かれて開口部１１の開口面積は最大になる。
【００４５】
このように、ギア部３４の端部３４ａと端部３４ｂとの間で、ギア部３４と小径ギア３３とを噛み合わせて移動させることで、開口部１１の開口面積を最大にする位置と最小にする位置との間で絞り羽根２０を移動させることができる。
【００４６】
なお、地板１０の表面１０ａには、シャッタ羽根（図示せず）に形成された長孔（図示せず）に挿入される出力ピン８０が設けられている。絞り操作が終了した後、操作者によりシャッタボタン（図示せず）が押されると、出力ピン８０がシャッタ羽根の長孔内を移動して、シャッタ羽根が開閉し、被写体が撮像される。
【００４７】
次に、このような構成を備える絞り調整装置１の動作について、図４、８、９を参照して説明する。
【００４８】
図４は、第１の歯列部５０と第２の歯列部６０が初期位置で噛合している状態を示す。初期位置では、第１の歯列部５０の４つの歯と第２の歯列部６０の５つの歯とが噛み合って、固定されている。
【００４９】
絞り羽根２０が、初期状態でモータ４０の磁石のずれ等により開き過ぎた状態のとき、絞り羽根２０を絞る方向に移動させて絞りを調整する。具体的には、図８に示すように、第１の歯列部５０の歯と第２の歯列部６０の歯との噛み合いを解除し、初期位置から一歯分、矢印Ｘ方向にフランジ部４３を移動させる。フランジ部４３が移動されると、モータ本体４２は、地板１０の裏面１０ｂからみて反時計回方向ＣＴに、回転軸４１を中心に回動される。第１の歯列部５０の歯は、矢印Ｘ方向に移動し、移動方向の隣の第２の歯列部６０の歯と噛み合って固定される。
【００５０】
第１の歯列部５０の歯と第２の歯列部６０の歯との噛み合いを解除するには、一旦、第１の歯列部５０が設けられたフランジ部４３を持ち上げて、歯と歯の係合を解除する。モータ本体４２に直接、第１の歯列部５０が固定されているときは、モータ本体４２を持ち上げて、第２の歯列部６０との噛み合いを解除する。
【００５１】
モータ本体４２が、回転軸４１を中心に一歯分に相当する分、反時計回りに回動することで、モータ本体４２内でモータ４０の保持力により保持されている回転軸４１も回転する。そして、回転軸４１に同軸に取り付けられた出力ギア３１も、所定の角度回転をする。出力ギア３１が回転することで、大径ギア３２、小径ギア３３、ギア部３４が設けられた絞りリング２１が回転する。絞りリング２１が所定の角度、地板１０の表面１０ａからみて時計回りに回転することで、絞り羽根２０は開口部１１を絞るように移動して、絞りを調整する。
【００５２】
絞り調整が終了した後は、ネジ孔６３に長孔４５を介してボルト４６を挿入し、螺合することで、フランジ部４３を地板１０に固定する。また、フランジ部４３には、長孔４５が形成されているので、長孔４５の長手方向の長さの範囲内で、フランジ部４３を移動させ絞りを調整することができる。
【００５３】
絞り羽根２０が、初期状態でモータ４０の磁石のずれ等により絞り過ぎた状態のとき、絞り羽根２０を開く方向に移動させて絞りを調整する。具体的には、図９に示すように、第１の歯列部５０の歯と第２の歯列部６０の歯の噛み合いを解除し、初期位置から一歯、矢印Ｙ方向にフランジ部４３を移動させる。フランジ部４３が移動すると、モータ本体４２は、地板１０の裏面１０ｂからみて時計回方向Ｔに、回転軸４１を中心に回動される。第１の歯列部５０の歯は、矢印Ｙ方向に移動し、移動方向の隣の第２の歯列部６０の歯と噛み合って固定される。
【００５４】
モータ本体４２が、回転軸４１を中心に一歯分に相当する分、時計回りに回動することで、モータ本体４２内でモータ４０の保持力により保持されている回転軸４１も回転する。そして、回転軸４１に同軸に取り付けられた出力ギア３１も、所定の角度回転をする。出力ギア３１が回転することで、大径ギア３２、小径ギア３３、ギア部３４が設けられた絞りリング２１が回転する。絞りリング２１が所定の角度、地板１０の表面１０ａからみて反時計回りに回転することで、絞り羽根２０は開口部１１を開くように移動して、絞りを調整する。絞り調整が終了した後は、ボルト４６でフランジ部４３を地板１０に固定する。
【００５５】
絞り調整装置１は、第１の歯列部５０と第２の歯列部６０との間で移動させる歯数に応じて、絞り調整の量を変更することができる。本実施の形態では、第１の歯列部５０には４つの歯が、第２の歯列部６０には５つの歯が形成されているので、１歯から４歯の間で絞りの調整が可能である。
【００５６】
本実施の形態によれば、第１の係合部と第２の係合部のいずれかに歯列部を適用することにより、歯数単位で絞りの調整をすることができる。したがって、絞りの調整を定量化することができ、組立作業の効率を向上させることができる。
【００５７】
本実施の形態によれば、第１の係合部を、モータ本体４２の外周から突出するフランジ部４３の先端に設けたので、絞りを調整する操作者は、小さな力でモータ本体４２を回動させることができる。また、移動される歯の移動距離より、モータ４０の回転軸４１の外周の移動距離を短くすることができるので、絞りの微妙な調整を行うことができる。
【００５８】
本実施の形態では、第２の歯列部６０は、地板１０の裏面１０ｂに固定されているが、本発明はこのような例に限定されない。例えば、第２の歯列部６０を歯車状に形成し、当該歯車の歯と第１の歯列部５０とが噛み合うようにしてもよい。
【００５９】
（変形例）
本実施の形態では、第１の係合部として第１の歯列部５０を例にして説明し、第２の係合部として第２の歯列部６０を例にして説明した。本発明は、第１の歯列部５０、第２の歯列部６０に限定されず、第１の係合部と第２の係合部が係合することにより、モータ本体４２が回動することができれば、他の形態を適用することができる。
【００６０】
具体的には、図１０に示すように第１の係合部として第１の歯列部５０を適用し、第２の係合部として地板１０に突起部７０を適用する。絞りの調整をするときには、第１の歯列部５０の歯と突起部７０との係合を解除し、調整したい絞りの開度に応じて、所定の方向にかつ所定の歯数、モータ本体４２を回動させる。
【００６１】
モータ本体４２を所定の方向に回動させた後、第１の歯列部５０の歯と、突起部７０とを係合させて、モータ本体４２の位置を固定する。モータ本体４２の位置が固定された後は、フランジ部４３の長孔４５にボルト４６を挿入し、地板１０に形成されたネジ孔６３にボルト４６を螺合させて、フランジ部４３を地板１０に固定する。
【００６２】
モータ本体４２の回動方向及び移動した歯数に応じて、絞りリング２１は回転され、絞り羽根２０が開閉し、絞りが調整される。
【００６３】
本変形例では、第１の係合部として第１の歯列部５０を適用し、第２の係合部として突起部７０を適用したが、この組み合わせを逆に、すなわち、第１の係合部として突起部７０を適用し、第２の係合部として第２の歯列部６０を適用することもできる。
【００６４】
本変形例によれば、第１の係合部と第２の係合部のうち、いずれか一方を突起部７０とすることにより、簡単な構造で、絞りを調整することができる。
【００６５】
また、本実施の形態に係る絞り調整切替装置１は、種々の光学機器、電子機器に搭載してもよい。図１１は、デジタルスチルカメラ１００の要部構成を示す図である。図１１に示すように、デジタルスチルカメラ１００は、光軸Ａ方向に、レンズ１１０、絞り羽根２０、シャッタ羽根９０をこの順に並べて配置された構成を備える。レンズ１１０を透過した被写体像はＣＣＤやＣＭＯＳなどの個体撮像素子１２０で、電気信号に変換される。変換された電気信号はＡ／Ｄ変換回路によってデジタル信号に変換され、画像処理回路１３０に入力される。画像処置回路１３０は、入力信号にもとづいて画像データを作成し、ＤＲＡＭなどのメモリに記憶する。
【００６６】
本実施の形態によれば、絞り調整を定量化することができるので、絞り精度にバラツキが発生しない絞り調整装置を光学機器、電子機器に搭載することができる。
【００６７】
本実施の形態に係る絞り調整装置は、光学機器、電子機器などに取り付けられる装置である。光学機器の例としては、デジタルカメラなどの民生用カメラ、車載カメラ、監視カメラ、内視鏡などに搭載される医療用カメラ、動画撮影を行うカムコーダー（ムービーカメラ）、各種検査用カメラ、ロボット用カメラなどがある。電子機器の例としては、携帯電話、スマートフォン、タブレット端末、パーソナルコンピュータなどがある。
【００６８】
上述した実施形態は、本発明を説明するためのものであり、本発明の範囲を限定するものではない。つまり、本発明の範囲は、実施形態ではなく、請求の範囲によって示される。そして、請求の範囲及びそれと同等の発明の意義の範囲内で施される様々な変形が、本発明の範囲とみなされる。
【産業上の利用可能性】
【００６９】
本発明は、例えば、光学機器（カメラなど）、電子機器（カメラを備えた携帯電話など）に搭載される絞り調整装置に利用される。
【符号の説明】
【００７０】
１    絞り調整装置
１０    地板
１０ａ  表面
１０ｂ  裏面
１１    開口部
１２    突起
１３    配線基板
２０    絞り羽根
２１    絞りリング
２２    ピン
２３    第１の孔
２４    案内孔
３０    絞り羽根移動機構
３１    出力ギア（第１のギア）
３２    大径ギア（第２のギア）
３２ａ  回転軸
３３    小径ギア
３４    ギア部
３４ａ、３４ｂ  端部
４０    モータ
４１    回転軸
４２    モータ本体
４３    フランジ部
４３ａ  アーム部
４３ｂ  突出部
４４    端子
４５    長孔
４６    ボルト
５０    第１の歯列部（第１の係合部）
６０    第２の歯列部（第２の係合部）
６１    モータ載置部
６１ａ  円形凹部
６２    フランジ載置部
６３    ネジ孔
６４    第２の孔
７０    突起部
８０    出力ピン
９０    シャッタ羽根
１００  デジタルスチルカメラ
１１０  レンズ
１２０  個体撮像素子
１３０  画像処理回路
【図１】
2017116785.tif 000003
【図２】
2017116785.tif 000004
【図３】
2017116785.tif 000005
【図４】
2017116785.tif 000006
【図５】
2017116785.tif 000007
【図６】
2017116785.tif 000008
【図７】
2017116785.tif 000009
【図８】
2017116785.tif 000010
【図９】
2017116785.tif 000011
【図１０】
2017116785.tif 000012
【図１１】
2017116785.tif 000013